(57)【要約】【課題】エレベーター制御ケーブルの損傷を抑え、接触音も緩和可能なエレベーター制御ケーブル保護装置を得る。【解決手段】昇降路２に垂下して配設されエレベーターのかご１に延びる制御ケーブル３を保護するために前記昇降路２を昇降するエレベーターのかご１に設けられる保護ローラー６を備え、前記保護ローラー６を駆動モーター７からなる駆動手段により回転駆動するようにして、制御ケーブル３が揺れた場合でも保護ローラー６との間に瞬時的な滑りが発生せず、制御ケーブル３の損傷を減少し、制御ケーブル３と制御ケーブル保護装置５の接触音も抑えるようにする。【選択図】図２
2006199418.tif 000002
【特許請求の範囲】
【請求項１】
昇降路に垂下して配設されエレベーターのかごに延びる制御ケーブルを保護するために前記昇降路を昇降するエレベーターのかごに設けられる保護ローラーを備え、前記保護ローラーの外周面を前記制御ケーブルに対向させるとともに、前記保護ローラーを駆動手段により回転駆動することを特徴とするエレベーター制御ケーブルの保護装置。
【請求項２】
エレベーターのかごの昇降速度に応じ前記保護ローラーを回転制御することを特徴とする請求項１に記載のエレベーター制御ケーブルの保護装置。
【請求項３】
前記回転駆動される保護ローラーを弾性支持したことを特徴とする請求項１または請求項２に記載のエレベーター制御ケーブルの保護装置。
【請求項４】
前記保護ローラーを複数備え、前記複数の保護ローラーのそれぞれの外周面が前記制御ケーブルに対向するように前記複数の保護ローラーを前記制御ケーブルの湾曲に対応して配設したことを特徴とする請求項１から請求項３までのいずれかに記載のエレベーター制御ケーブルの保護装置。
【発明の詳細な説明】
【技術分野】
【０００１】
この発明は、エレベーター制御ケーブルの損傷防止のためにエレベーターのかごに設けられるエレベーター制御ケーブルの保護装置に関する。
【背景技術】
【０００２】
従来のエレベーター制御ケーブルの保護装置においては、制御ケーブルを保護するローラーは、エレベーターのかごに回転自在に取付けられ、制御ケーブルの損傷を防止していた（例えば、特許文献１および特許文献２参照）。
【０００３】
【特許文献１】特開昭５６−１２７５７４号公報
【特許文献２】特開平８−１４３２４６号
【発明の開示】
【発明が解決しようとする課題】
【０００４】
従来の制御ケーブルの保護装置では、制御ケーブルの保護ローラーは、エレベーターのかごに保護ローラーが自由回転できるように回転自在に取付けられたものであり、かご昇降中に制御ケーブルが揺れ、保護ローラーと接触すると、保護ローラーと制御ケーブルの間には瞬時的に滑りが発生して、制御ケーブルの損傷を招いたり、滑り接触音が発生するという問題があった。特に、エレベーターのかごが昇降路の下方にあるときは、制御ケーブルと保護ローラーの隙間が減少するため、制御ケーブル損傷を増大させる問題がある。
【０００５】
この発明は、かかる問題点を解決するためになされたもので、エレベーター制御ケーブルの損傷を抑え、接触音も緩和可能なエレベーター制御ケーブルの保護装置を得ることを目的としている。
【課題を解決するための手段】
【０００６】
この発明に係るエレベーター制御ケーブルの保護装置では、昇降路に垂下して配設されエレベーターのかごに延びる制御ケーブルを保護するために昇降路を昇降するエレベーターのかごに設けられる保護ローラーを駆動手段により回転駆動するようにしたものである。
【発明の効果】
【０００７】
この発明によれば、エレベーター制御ケーブルの損傷を抑え、接触音も緩和可能なエレベーター制御ケーブルの保護装置を得ることができる。
【発明を実施するための最良の形態】
【０００８】
実施の形態１．
この発明による実施の形態１を図１から図３までについて説明する。図１は実施の形態１におけるエレベーター制御ケーブルの保護装置の全体構成を示す側面図である。図２は実施の形態１におけるエレベーター制御ケーブルの保護装置の構成を示す詳細側面図である。図３は実施の形態１におけるエレベーター制御ケーブルの保護装置の構成を示す詳細平面図である。
【０００９】
図１において、エレベーターのかご１は昇降路２の内部を昇降し、エレベーターのかご１には制御ケーブル３が設けられている。制御ケーブル３は昇降路２の上方に配置された機械室（図示せず）から昇降路２の内部に垂下し下方反転部分における湾曲部３ａを経てエレベーターのかご１に延びている。エレベーターのかご１は巻上げロープ４によって吊り下げられている。そして、エレベーターのかご１の下部には、制御ケーブル保護装置５が取り付けられている。
【００１０】
図２および図３はこの発明の実施の形態１における制御ケーブル保護装置５の詳細を示すものである。
図２および図３において、制御ケーブル３を保護する保護ローラー６を駆動するための駆動モーター７がエレベーターのかご１に取り付けられており、駆動モーター７はエレベーターのかご１の昇降速度に応じて電気制御で可変速回転される。回転軸８は円筒状の保護ローラー６と連結され、保護ローラー６の両端面に突設された回転軸８の両端を支持する軸支持部で固定式または衝撃を吸収できるゴム等の弾性体で構成される防振装置を備える軸支持部材９が設けられている。駆動モーター７の回転は駆動ベルト１０により回転軸８に回転を伝達されて、保護ローラー６を回転させる。軸支持部材９はボルト１１によりエレベーターのかご１に取付けられる。
保護ローラー６は、その外周面６ｓを制御ケーブル３に対向し、エレベーターのかご１の昇降速度に応じて可変速回転される駆動モーター７により、エレベーターのかご１の昇降速度に応じた回転速度で回転駆動される。
【００１１】
エレベーターのかご１の下降時においては、エレベーターのかご１に設けられた制御ケーブル保護装置５の保護ローラー６に対して制御ケーブル３は相対的に上方へ移動する。保護ローラー６は制御ケーブル３との相対的移動を相殺し速度差をなくすように図１および図２における反時計方向に駆動モーター７により駆動ベルト１０を介して回転駆動される。保護ローラー６の図１および図２における反時計方向の回転駆動によって保護ローラー６の外周部６ｓと制御ケーブル３とは相対的移動が減少され速度差がなくなるので、エレベーター制御ケーブルの損傷は抑えられ、接触音も緩和可能となる。
エレベーターのかご１が最下階に近づき昇降路の最下部に近くなると、保護ローラー６は制御ケーブル３の下方反転部分における湾曲部３ａに近づき、保護ローラー６の外周部６ｓと制御ケーブル３との隙間は減少するが、前述した保護ローラー６の図１および図２における反時計方向の回転駆動によってエレベーター制御ケーブルの損傷は確実に抑えられ、接触音も緩和される。
エレベーターのかご１の上昇時においては、エレベーターのかご１に設けられた制御ケーブル保護装置５の保護ローラー６に対して制御ケーブル３は相対的に下方へ移動する。保護ローラー６は制御ケーブル３との相対的移動を相殺し速度差をなくすように図１および図２における時計方向に駆動モーター７により駆動ベルト１０を介して回転駆動される。保護ローラー６の図１および図２における反時計方向の回転駆動によって保護ローラー６の外周部６ｓと制御ケーブル３とは相対的移動が減少され速度差がなくなるので、エレベーター制御ケーブルの損傷は抑えられ、接触音も緩和可能となる。
駆動モーター７による保護ローラー６の回転駆動は、エレベーターのかご１の上昇時および下降時の両方で前述の通り回転駆動するようにしてもよく、エレベーターのかご１の下降時における昇降路の最下部に近づいたときのような所定動作状態だけ駆動モーター７による保護ローラー６の回転駆動を行うようにすることもできる。
【００１２】
なお、図示は省略したが、保護ローラー６の回転軸８に駆動モータ７を直結または内蔵してもよい。
【００１３】
このように構成されたエレベーター制御ケーブルの保護装置においては、制御ケーブル３が揺れた場合でも保護ローラー６との間に瞬時的な滑りが発生せず、制御ケーブル３の損傷を減少することになる。また、制御ケーブル３と制御ケーブル保護装置５の接触音も低下できる。
【００１４】
この発明による実施の形態１によれば、昇降路２に垂下して配設されエレベーターのかご１に延びる制御ケーブル３を保護するために前記昇降路２を昇降するエレベーターのかご１に設けられる保護ローラー６を備え、前記保護ローラー６の外周面を前記制御ケーブル３に対向させるとともに、前記保護ローラー６を駆動モーター７からなる駆動手段により回転駆動し前記保護ローラー６の外周面６ｓと前記制御ケーブル３との相対的移動を減少させ速度差をなくすようにしたので、保護ローラーを駆動手段によって回転駆動することにより、エレベーター制御ケーブルの損傷を抑え、接触音も緩和可能なエレベーター制御ケーブルの保護装置を得ることができる。
【００１５】
また、この発明による実施の形態１によれば、前項の構成において、エレベーターのかご１の昇降速度に応じ前記保護ローラー６を回転制御するようにしたので、保護ローラーをエレベーターのかごの昇降速度に応じて回転駆動することにより、エレベーター制御ケーブルの損傷をより効果的に抑えることができ、接触音も一層緩和可能なエレベーター制御ケーブルの保護装置を得ることができる。
【００１６】
さらに、この発明による実施の形態１によれば、前項の構成において、前記回転駆動される保護ローラー６を弾性支持したので、エレベーター制御ケーブルの損傷を更に効果的に抑えることができ、接触音も更に緩和可能なエレベーター制御ケーブルの保護装置を得ることができる。
【００１７】
実施の形態２．
この発明による実施の形態２を図４について説明する。図４は実施の形態２におけるエレベーター制御ケーブルの保護装置の構成を示す詳細側面図である。
この実施の形態２において、ここで説明する特有の構成以外の構成については、先に説明した実施の形態１における構成と同一の構成内容を具備し、同様の作用を奏するものである。図中、同一符号は同一または相当部分を示す。
【００１８】
図４は、この発明の実施の形態２における制御ケーブル保護装置の詳細を示すものである。
図４において、複数からなる互いに同一形状の保護ローラー６Ａ，６Ｂ，６Ｃはベルト車を備えた回転軸１２Ａ，１２Ｂ，１２Ｃとそれぞれ連結されている。複数の回転軸１２Ａ，１２Ｂ，１２Ｃの両端は軸支持部材１３により支持され、軸支持部材１３はエレベーターのかご１に取付けられる。このように複数の保護ローラー６Ａ，６Ｂ，６Ｃを円弧状に配設して回転駆動させることにより、制御ケーブル保護装置５が構成される。
【００１９】
ここで、保護ローラー６Ａ，６Ｂ，６Ｃの回転中心となる回転軸１２Ａ，１２Ｂ，１２Ｃの軸心は、制御ケーブル３の下方反転部における湾曲部分に対応する弧状曲線ＡＬ上に所定の間隔を置いて配設され、保護ローラー６Ａ，６Ｂ，６Ｃにおける外周面６Ａｓ，６Ｂｓ，６Ｃｓの最先端部は制御ケーブル３の下方反転部における湾曲部３ａに対応する包絡線ＰＬを形成している。
【００２０】
このように構成された制御ケーブルの保護装置においては、エレベーターのかご１と制御ケーブル３が一番接近する、すなわち制御ケーブル３の下方反転部分における湾曲部３ａに一番近づく、エレベーターのかご１が最下階付近で降下中の時において、より緩やかに制御ケーブル３を排除していくことが可能となる。
【００２１】
この発明による実施の形態２によれば、実施の形態１における構成において、前記保護ローラー６を複数備え、共通の駆動モーター７により駆動ベルト１０を介して回転駆動される複数の保護ローラー６Ａ，６Ｂ，６Ｃのそれぞれの外周面６ｓが前記制御ケーブル３に対向する弧状の包絡線ＰＬを形成するように前記制御ケーブル３の下方反転部分における湾曲部３ａに対応して前記複数の保護ローラー６Ａ，６Ｂ，６Ｃを所定の間隔を置いて配設したので、エレベーター制御ケーブルの損傷を更に効果的に抑えることができ、接触音も更に緩和可能なエレベーター制御ケーブルの保護装置を得ることができる。
【００２２】
この発明は、以上説明したように、かごの昇降速度に応じ回転駆動する保護ローラーを備えた制御ケーブル保護装置の採用により、昇降するかごに備えた保護ローラーの表面と制御ケーブルとの間の速度差をなくすことができる。従って、制御ケーブルが揺れてかごに接触した場合でも、保護ローラーと制御ケーブルの間の滑りを小さくすることができる。従って、制御ケーブルの損傷が減少でき衝突音も低下することができる。
【図面の簡単な説明】
【００２３】
【図１】この発明による実施の形態１におけるエレベーター制御ケーブルの保護装置の全体構成を示す側面図である。
【図２】この発明による実施の形態１におけるエレベーター制御ケーブルの保護装置の構成を示す詳細側面図である。
【図３】この発明による実施の形態１におけるエレベーター制御ケーブルの保護装置の構成を示す詳細平面図である。
【図４】この発明による実施の形態２におけるエレベーター制御ケーブルの保護装置の構成を示す詳細側面図である。
【符号の説明】
【００２４】
１  エレベーターのかご、２  昇降路、３  制御ケーブル、４  巻上げロープ、５  制御ケーブル保護装置、６，６Ａ，６Ｂ，６Ｃ  保護ローラー、７  駆動モーター、８  回転軸、９  軸支持部材、１０  駆動ベルト、１１  取付ボルト、１２，１２Ａ，１２Ｂ，１２Ｃ  回転軸、１３  軸支持部材。
【図１】
2006199418.tif 000003
【図２】
2006199418.tif 000004
【図３】
2006199418.tif 000005
【図４】
2006199418.tif 000006